(57)【要約】【課題】話者の発話の速度を聴きやすい速度に調整するための話者話速制御装置を提供する。【解決手段】話者話速算出部１０３Ａは、話者音圧信号受信部１０２Ａから話者音圧信号１０１ＡＳを基に出力される話者音圧計測信号１０２ＡＳにより、話者Ａの話者話速を算出し、記憶部１０５に記憶させる。話者話速調整制御部１０７は、記憶部１０５から、話者話速ならびに、予め記憶された聴者話速上限値Ｍａｘおよび聴者話速下限値Ｍｉｎを読み出し、話者話速に基づいて計算した話者話速Ｖａと聴者話速上限値Ｍａｘおよび聴者話速下限値Ｍｉｎとに基づいて、話者Ａの話者話速の調整の要否を判定し、話者話速の調整が必要なら、話者話速調整要請通知ＡＬが出力されるように話者話速調整要請通知出力部１０８を制御する。【選択図】図１
2013114118.tif 000002
【特許請求の範囲】
【請求項１】
話者の発話を聴く聴者にとって聴きやすい発話の速度である聴者話速が予め記憶される聴者話速記憶部と、
前記話者の発話の速度である話者話速が記憶される話者話速データベースと、
前記話者話速の調整を要請する旨の話者話速調整要請通知を前記話者に向けて出力する話者話速調整要請通知出力部と、
前記話者の発話による音圧を受けるマイクである話者マイクと、
前記話者マイクから前記話者の発話による音圧を示す音圧信号である話者音圧信号を受信する話者音圧信号受信部と、
前記話者音圧信号受信部から前記話者音圧信号を基に出力される話者音圧計測信号により前記話者話速を算出し、前記話者話速を前記話者話速データベースに記憶させる話者話速算出部と、
前記話者話速データベースから１つの話者話速または２以上の話者話速を読み出し、前記聴者話速記憶部から聴者話速を読み出し、前記１つの話者話速または前記２以上の話者話速に基づいて計算した話者話速と前記読み出した聴者話速とに基づいて、前記話者話速の調整の要否を判定し、前記話者話速の調整が必要なら、前記話者話速調整要請通知が出力されるように前記話者話速調整要請通知出力部を制御する話者話速調整制御部と
を備えることを特徴とする話者話速制御装置。
【請求項２】
話者の発話を聴く聴者にとって聴きやすい発話の速度である聴者話速が予め記憶される聴者話速記憶部と、
前記話者の発話の速度である話者話速が記憶される話者話速データベースと、
前記話者話速の調整が不要である旨の話者話速調整不要通知を前記話者に向けて出力する話者話速調整不要通知出力部と、
前記話者の発話による音圧を受けるマイクである話者マイクと、
前記話者マイクから前記話者の発話による音圧を示す音圧信号である話者音圧信号を受信する話者音圧信号受信部と、
前記話者音圧信号受信部から前記話者音圧信号を基に出力される話者音圧計測信号により前記話者話速を算出し、前記話者話速を前記話者話速データベースに記憶させる話者話速算出部と、
前記話者話速データベースから１つの話者話速または２以上の話者話速を読み出し、前記聴者話速記憶部から聴者話速を読み出し、前記１つの話者話速または前記２以上の話者話速に基づいて計算した話者話速と前記読み出した聴者話速とに基づいて、前記話者話速の調整の要否を判定し、前記話者話速の調整が不要なら、前記話者話速調整不要通知が出力されるように前記話者話速調整不要通知出力部を制御する話者話速調整制御部と
を備えることを特徴とする話者話速制御装置。
【請求項３】
前記話者音圧計測信号は、前記話者音圧信号から予め定められた音圧閾値以下の部分を除いた信号であることを特徴とする請求項１または２記載の話者話速制御装置。
【請求項４】
前記聴者の発話による音圧を受けるマイクである聴者マイクと、
前記聴者マイクから前記聴者の発話による音圧を示す音圧信号である聴者音圧信号を受信する聴者音圧信号受信部と、
前記聴者音圧信号受信部から前記聴者音圧信号を基に出力される聴者音圧計測信号により聴者話速を算出する聴者話速算出部とを備え、
前記聴者話速記憶部は、前記算出された聴者話速を予め記憶するものである
ことを特徴とする請求項１ないし３のいずれかに記載の話者話速制御装置。
【請求項５】
前記聴者マイク、前記聴者音圧信号受信部および前記聴者話速算出部を、複数の聴者ごとに備え、
前記聴者話速記憶部は、前記複数の聴者話速の中で最も小さい聴者話速を予め記憶するものである
ことを特徴とする請求項４記載の話者話速制御装置。
【請求項６】
前記聴者話速記憶部は、前記聴者にとって聴きやすい発話の速度の上限値である第１の聴者話速および下限値である第２の聴者話速を予め記憶するものであり、
前記話者話速調整制御部は、
前記話者話速が前記第１の聴者話速より大きい、または、前記話者話速が前記第２の聴者話速より小さいなら、前記話者話速調整要請通知が出力され、かつ、前記話者話速が前記第１の聴者話速より大きい場合の話者話速調整要請通知と前記話者話速が前記第２の聴者話速より小さい場合の話者話速調整要請通知とが互いに前記話者にとって区別できるものとなるように、前記話者話速調整要請通知出力部を制御する
ことを特徴とする請求項１記載の話者話速制御装置。
【請求項７】
前記聴者話速記憶部は、前記聴者にとって聴きやすい発話の速度の上限値である第１の聴者話速および下限値である第２の聴者話速を予め記憶するものであり、
前記話者話速調整制御部は、
前記話者話速が前記第１の聴者話速より大きいなら、前記話者話速と前記第１の聴者話速の差分が大きいほど前記話者話速調整要請通知での要請の程度が高くなるように前記話者話速調整要請通知出力部を制御し、一方、前記話者話速が前記第２の聴者話速より小さいなら、前記話者話速と前記第２の聴者話速の差分が大きいほど前記話者話速調整要請通知での要請の程度が高くなるように前記話者話速調整要請通知出力部を制御する
ことを特徴とする請求項１記載の話者話速制御装置。
【請求項８】
話者話速の調整を要請する旨の話者話速調整要請通知を話者に向けて出力する話者話速制御装置の動作方法であって、
前記話者話速制御装置は、
話者の発話を聴く聴者にとって聴きやすい発話の速度である聴者話速が予め記憶される聴者話速記憶部と、
前記話者の発話の速度である話者話速が記憶される話者話速データベースと、
前記話者話速の調整を要請する旨の話者話速調整要請通知を前記話者に向けて出力する話者話速調整要請通知出力部と、
前記話者の発話による音圧を受けるマイクである話者マイクと、
前記話者マイクから前記話者の発話による音圧を示す音圧信号である話者音圧信号を受信する話者音圧信号受信部とを備え、
前記動作方法は、
前記話者話速制御装置の話者話速算出部が、前記話者音圧信号受信部から前記話者音圧信号を基に出力される話者音圧計測信号により前記話者話速を算出し、前記話者話速を前記話者話速データベースに記憶させ、
前記話者話速制御装置の話者話速調整制御部が、前記話者話速データベースから１つの話者話速または２以上の話者話速を読み出し、前記聴者話速記憶部から聴者話速を読み出し、前記１つの話者話速または前記２以上の話者話速に基づいて計算した話者話速と前記読み出した聴者話速とに基づいて、前記話者話速の調整の要否を判定し、前記話者話速の調整が必要なら、前記話者話速調整要請通知が出力されるように前記話者話速調整要請通知出力部を制御する
ことを特徴とする話者話速制御装置の動作方法。
【請求項９】
話者話速の調整不要である旨の話者話速調整不要通知を話者に向けて出力する話者話速制御装置の動作方法であって、
前記話者話速制御装置は、
話者の発話を聴く聴者にとって聴きやすい発話の速度である聴者話速が予め記憶される聴者話速記憶部と、
前記話者の発話の速度である話者話速が記憶される話者話速データベースと、
前記話者話速の調整が不要である旨の話者話速調整不要通知を前記話者に向けて出力する話者話速調整不要通知出力部と、
前記話者の発話による音圧を受けるマイクである話者マイクと、
前記話者マイクから前記話者の発話による音圧を示す音圧信号である話者音圧信号を受信する話者音圧信号受信部とを備え、
前記動作方法は、
前記話者話速制御装置の話者話速算出部が、前記話者音圧信号受信部から前記話者音圧信号を基に出力される話者音圧計測信号により前記話者話速を算出し、前記話者話速を前記話者話速データベースに記憶させ、
前記話者話速制御装置の話者話速調整制御部が、前記話者話速データベースから１つの話者話速または２以上の話者話速を読み出し、前記聴者話速記憶部から聴者話速を読み出し、前記１つの話者話速または前記２以上の話者話速に基づいて計算した話者話速と前記読み出した聴者話速とに基づいて、前記話者話速の調整の要否を判定し、前記話者話速の調整が不要なら、前記話者話速調整不要通知が出力されるように前記話者話速調整不要通知出力部を制御する
ことを特徴とする話者話速制御装置の動作方法。
【請求項１０】
請求項１ないし７のいずれかに記載の話者話速制御装置としてコンピュータを機能させるためのコンピュータプログラム。
【発明の詳細な説明】
【技術分野】
【０００１】
本発明は、話者の発話の速度を聴きやすい速度に調整するための話者話速制御装置およびその動作方法に関するものである。
【背景技術】
【０００２】
人の身体機能は加齢によって低下することは広く知られている。例えば，目が見えにくくなる、耳が遠くなるといった現象は良く知られた現象である。また、認知機能も加齢に伴い低下することが知られている。例えば、脳におけるワーキングメモリの減少により、抽象的な認知処理の能力が低下する傾向にある。これらの要素から、高齢者は、会話や音声の聞き取りが若齢者と比較して困難であると考えられる。高齢者などにとって会話を聞き取りやすくするためには、会話の速度（話速）を調整する必要がある。
【０００３】
話速に関する従来の技術としては、話速を計測する手法や、音声読み上げの速さを利用者もしくは利用状況またはその両方に応じて最適化する手法がある（特許文献１〜３）。
【先行技術文献】
【特許文献】
【０００４】
【特許文献１】特開２０１１−１０２９１０号公報
【特許文献２】特開平５−２８９６９１号公報
【特許文献３】特開２００５−３３１５８９号公報
【発明の概要】
【発明が解決しようとする課題】
【０００５】
一般の会話において、会話をする者（話者）が相手（聴者）にとって適切な速度に収まるように自発的に話速に気を付けて発話すれば、聴者にとって聞きやすくなると考えられる。しかし、発話中に自分の話速を意識し、話速を調整することは難しい。このため、話に夢中になって早口になり相手が聞きとれなくなることがしばしば起きる。また、複数人数での会話では、全員が聞き取れるよう、最も聞き取りが困難な会話参加者（最困難者）に合わせて話速を変化させなければならない。しかし、最困難者以外の参加者に対する発話では、話速が速くなりがちであり、そのようなときに、最困難者を考慮して発話を行うのは非常に難しい。
【０００６】
本発明は、上記の課題に鑑みてなされたものであり、その目的とするところは、話者の発話の速度を聴きやすい速度に調整するための話者話速制御装置およびその動作方法を提供することにある。
【課題を解決するための手段】
【０００７】
上記の課題を解決するために、第１の本発明は、話者の発話を聴く聴者にとって聴きやすい発話の速度である聴者話速が予め記憶される聴者話速記憶部と、前記話者の発話の速度である話者話速が記憶される話者話速データベースと、前記話者話速の調整を要請する旨の話者話速調整要請通知を前記話者に向けて出力する話者話速調整要請通知出力部と、
前記話者の発話による音圧を受けるマイクである話者マイクと、前記話者マイクから前記話者の発話による音圧を示す音圧信号である話者音圧信号を受信する話者音圧信号受信部と、前記話者音圧信号受信部から前記話者音圧信号を基に出力される話者音圧計測信号により前記話者話速を算出し、前記話者話速を前記話者話速データベースに記憶させる話者話速算出部と、前記話者話速データベースから１つの話者話速または２以上の話者話速を読み出し、前記聴者話速記憶部から聴者話速を読み出し、前記１つの話者話速または前記２以上の話者話速に基づいて計算した話者話速と前記読み出した聴者話速とに基づいて、前記話者話速の調整の要否を判定し、前記話者話速の調整が必要なら、前記話者話速調整要請通知が出力されるように前記話者話速調整要請通知出力部を制御する話者話速調整制御部とを備えることを特徴とする話者話速制御装置をもって解決手段とする。
【０００８】
第２の本発明は、話者の発話を聴く聴者にとって聴きやすい発話の速度である聴者話速が予め記憶される聴者話速記憶部と、前記話者の発話の速度である話者話速が記憶される話者話速データベースと、前記話者話速の調整が不要である旨の話者話速調整不要通知を前記話者に向けて出力する話者話速調整不要通知出力部と、前記話者の発話による音圧を受けるマイクである話者マイクと、前記話者マイクから前記話者の発話による音圧を示す音圧信号である話者音圧信号を受信する話者音圧信号受信部と、前記話者音圧信号受信部から前記話者音圧信号を基に出力される話者音圧計測信号により前記話者話速を算出し、前記話者話速を前記話者話速データベースに記憶させる話者話速算出部と、前記話者話速データベースから１つの話者話速または２以上の話者話速を読み出し、前記聴者話速記憶部から聴者話速を読み出し、前記１つの話者話速または前記２以上の話者話速に基づいて計算した話者話速と前記読み出した聴者話速とに基づいて、前記話者話速の調整の要否を判定し、前記話者話速の調整が不要なら、前記話者話速調整不要通知が出力されるように前記話者話速調整不要通知出力部を制御する話者話速調整制御部とを備えることを特徴とする話者話速制御装置をもって解決手段とする。
【０００９】
例えば、前記話者音圧計測信号は、前記話者音圧信号から予め定められた音圧閾値以下の部分を除いた信号である。
【００１０】
例えば、前記話者話速制御装置は、前記聴者の発話による音圧を受けるマイクである聴者マイクと、前記聴者マイクから前記聴者の発話による音圧を示す音圧信号である聴者音圧信号を受信する聴者音圧信号受信部と、前記聴者音圧信号受信部から前記聴者音圧信号を基に出力される聴者音圧計測信号により聴者話速を算出する聴者話速算出部とを備え、前記聴者話速記憶部は、前記算出された聴者話速を予め記憶するものである。
【００１１】
例えば、前記話者話速制御装置は、前記聴者マイク、前記聴者音圧信号受信部および前記聴者話速算出部を、複数の聴者ごとに備え、前記聴者話速記憶部は、前記複数の聴者話速の中で最も小さい聴者話速を予め記憶するものである。
【００１２】
例えば、前記聴者話速記憶部は、前記聴者にとって聴きやすい発話の速度の上限値である第１の聴者話速および下限値である第２の聴者話速を予め記憶するものであり、前記話者話速調整制御部は、前記話者話速が前記第１の聴者話速より大きい、または、前記話者話速が前記第２の聴者話速より小さいなら、前記話者話速調整要請通知が出力され、かつ、前記話者話速が前記第１の聴者話速より大きい場合の話者話速調整要請通知と前記話者話速が前記第２の聴者話速より小さい場合の話者話速調整要請通知とが互いに前記話者にとって区別できるものとなるように、前記話者話速調整要請通知出力部を制御する。
【００１３】
例えば、前記聴者話速記憶部は、前記聴者にとって聴きやすい発話の速度の上限値である第１の聴者話速および下限値である第２の聴者話速を予め記憶するものであり、前記話者話速調整制御部は、前記話者話速が前記第１の聴者話速より大きいなら、前記話者話速と前記第１の聴者話速の差分が大きいほど前記話者話速調整要請通知での要請の程度が高くなるように前記話者話速調整要請通知出力部を制御し、一方、前記話者話速が前記第２の聴者話速より小さいなら、前記話者話速と前記第２の聴者話速の差分が大きいほど前記話者話速調整要請通知での要請の程度が高くなるように前記話者話速調整要請通知出力部を制御する。
【００１４】
第３の本発明は、話者話速の調整を要請する旨の話者話速調整要請通知を話者に向けて出力する話者話速制御装置の動作方法であって、前記話者話速制御装置は、話者の発話を聴く聴者にとって聴きやすい発話の速度である聴者話速が予め記憶される聴者話速記憶部と、前記話者の発話の速度である話者話速が記憶される話者話速データベースと、前記話者話速の調整を要請する旨の話者話速調整要請通知を前記話者に向けて出力する話者話速調整要請通知出力部と、前記話者の発話による音圧を受けるマイクである話者マイクと、前記話者マイクから前記話者の発話による音圧を示す音圧信号である話者音圧信号を受信する話者音圧信号受信部とを備え、前記動作方法は、前記話者話速制御装置の話者話速算出部が、前記話者音圧信号受信部から前記話者音圧信号を基に出力される話者音圧計測信号により前記話者話速を算出し、前記話者話速を前記話者話速データベースに記憶させ、前記話者話速制御装置の話者話速調整制御部が、前記話者話速データベースから１つの話者話速または２以上の話者話速を読み出し、前記聴者話速記憶部から聴者話速を読み出し、前記１つの話者話速または前記２以上の話者話速に基づいて計算した話者話速と前記読み出した聴者話速とに基づいて、前記話者話速の調整の要否を判定し、前記話者話速の調整が必要なら、前記話者話速調整要請通知が出力されるように前記話者話速調整要請通知出力部を制御することを特徴とする話者話速制御装置の動作方法をもって解決手段とする。
【００１５】
第４の本発明は、話者話速の調整不要である旨の話者話速調整不要通知を話者に向けて出力する話者話速制御装置の動作方法であって、前記話者話速制御装置は、話者の発話を聴く聴者にとって聴きやすい発話の速度である聴者話速が予め記憶される聴者話速記憶部と、前記話者の発話の速度である話者話速が記憶される話者話速データベースと、前記話者話速の調整が不要である旨の話者話速調整不要通知を前記話者に向けて出力する話者話速調整不要通知出力部と、前記話者の発話による音圧を受けるマイクである話者マイクと、前記話者マイクから前記話者の発話による音圧を示す音圧信号である話者音圧信号を受信する話者音圧信号受信部とを備え、前記動作方法は、前記話者話速制御装置の話者話速算出部が、前記話者音圧信号受信部から前記話者音圧信号を基に出力される話者音圧計測信号により前記話者話速を算出し、前記話者話速を前記話者話速データベースに記憶させ、前記話者話速制御装置の話者話速調整制御部が、前記話者話速データベースから１つの話者話速または２以上の話者話速を読み出し、前記聴者話速記憶部から聴者話速を読み出し、前記１つの話者話速または前記２以上の話者話速に基づいて計算した話者話速と前記読み出した聴者話速とに基づいて、前記話者話速の調整の要否を判定し、前記話者話速の調整が不要なら、前記話者話速調整不要通知が出力されるように前記話者話速調整不要通知出力部を制御することを特徴とする話者話速制御装置の動作方法をもって解決手段とする。
【発明の効果】
【００１６】
本発明に係る話者話速制御装置およびその動作方法によれば、話者の発話の速度を聴きやすい速度に調整することができる。
【図面の簡単な説明】
【００１７】
【図１】第１の実施の形態に係る話者話速制御装置１を示す図である。
【図２】記憶部１０５に含まれる聴者話速記憶部１０５１の構成の一例を示す図である。
【図３】記憶部１０５に含まれる話者話速データベース１０５２Ａの構成の一例を示す図である。
【図４】話者話速制御装置１の動作方法を示すフローチャートである。
【図５】話者音圧信号１０１ＡＳと話者音圧計測信号１０２ＡＳの一例を示す図である。
【図６】話者話速Ｖａ等の表示例を示す図である。
【図７】話者音圧計測信号１０２ＡＳの推移を示す図である。
【図８】第２の実施の形態に係る話者話速制御装置１Ａを示す図である。
【図９】記憶部１０５に含まれる聴者話速データベース１０５２Ｂの構成の一例を示す図である。
【図１０】記憶部１０５に含まれる聴者話速データベース１０５３Ｂの構成の一例を示す図である。
【図１１】第２の実施の形態におけるステップＳ１の動作を示すフローチャートである。
【図１２】第３の実施の形態に係る話者話速制御装置１Ｂを示す図である。
【図１３】記憶部１０５に含まれる聴者話速データベース１０５４Ｂの構成の一例を示す図である。
【図１４】第３の実施の形態におけるステップＳ１の動作を示すフローチャートである。
【図１５】ステップＳ１１６の動作を説明するための図である。
【発明を実施するための形態】
【００１８】
以下、本発明の実施の形態について図面を参照して説明する。
【００１９】
［第１の実施の形態］
図１は、第１の実施の形態に係る話者話速制御装置１を示す図である。図１（ａ）は、話者話速制御装置１がユーザ（以下、話者Ａという）に使用される様子を示す図である。図１（ｂ）は、話者話速制御装置１の概略構成を示す機能ブロック図である。
【００２０】
話者話速制御装置１は、話者Ａが会話やスピーチなどをするときに使用されるものである。
【００２１】
話者話速制御装置１は、また、話者Ａの発話の速度である話者話速が速すぎるまたは遅すぎる場合に話者話速の調整を要請する旨の話者話速調整要請通知ＡＬを話者Ａに向けて出力する装置である。
【００２２】
話者話速調整要請通知ＡＬは、例えば、音声、光、振動、温度、香りなどによる通知である。
【００２３】
話者話速制御装置１は、話者Ａの発話による音圧を受けるマイクロフォンである話者マイク１０１Ａと、話者マイク１０１Ａから話者Ａの発話による音圧を示す音圧信号である話者音圧信号１０１ＡＳを受信する話者音圧信号受信部１０２Ａと、話者音圧信号受信部１０２Ａから話者音圧信号１０１ＡＳを基に出力される話者音圧計測信号１０２ＡＳにより話者話速を算出する話者話速算出部１０３Ａと、話者Ａの発話を聴く聴者（図示せず）にとって聴きやすい発話の速度である聴者話速や各種のパラメータ（詳しくは後述する）が入力される入力部１０４と、聴者話速や話者話速やパラメータが記憶される記憶部１０５と、話者話速での発話がなされる区間の開始時刻および終了時刻の計測に必要な現在時刻を出力する時刻出力部１０６と、話者話速と聴者話速に基づいて、話者話速の調整の要否を判定し、話者話速の調整が必要なら、話者話速調整要請通知ＡＬが出力されるように制御を行う話者話速調整制御部１０７と、話者話速調整要請通知ＡＬを出力する話者話速調整要請通知出力部１０８とを備える。
【００２４】
話者マイク１０１Ａとしては、話者Ａの方向への指向性をもつものが好ましい。
【００２５】
話者Ａは、話者話速調整要請通知ＡＬの出力を停止させたい場合は、話者話速制御装置１に設けられた停止スイッチ（図示せず）を操作する。これにより、入力部１０４は停止信号を生成し、話者話速調整制御部１０７に送信するようになっている。
【００２６】
図２は、記憶部１０５に含まれる聴者話速記憶部１０５１の構成の一例を示す図である。
【００２７】
聴者話速記憶部１０５１は、聴者話速の上限値である第１の聴者話速（以下、聴者話速上限値Ｍａｘという）および下限値である第２の聴者話速（以下、聴者話速下限値Ｍｉｎという）を予め記憶するものである。図２は、例として、１秒間に１．５語という聴者話速上限値Ｍａｘ「１．５［語／秒］」と１秒間に０．８語という聴者話速下限値Ｍｉｎ「０．８［語／秒］」を示している。ここでは、聴者話速を単位時間あたりの語数とするが、語数に代えて、モーラ数など、他の基準を用いてもよい。
【００２８】
図３は、記憶部１０５に含まれる話者話速データベース１０５２Ａの構成の一例を示す図である。
【００２９】
話者話速データベース１０５２Ａは、話者音圧計測信号１０２ＡＳにおける複数の区間のそれぞれで話者話速が計測されるので、その各話者話速を記憶するものである。各話者話速には、固有の話者話速番号、ならびに、話者話速での発話がなされる区間の開始時刻および終了時刻が対応づけて記憶される。
【００３０】
例えば、話者話速番号「１」のレコードは、話者音圧計測信号１０２ＡＳにおける２０１１年８月３０日１１時９分００秒から２０１１年８月３０日１１時９分２０秒までの区間の波形に基づいて計測された話者話速が１．８［語／秒］であることを示している。
【００３１】
記憶部１０５には、聴者話速記憶部１０５１と話者話速データベース１０５２Ａの他にも、各種のパラメータが予め記憶される。
（話者話速制御装置１の動作方法）
図４は、話者話速制御装置１の動作方法を示すフローチャートである。
【００３２】
まず、入力部１０４は、外部から聴者話速上限値Ｍａｘおよび聴者話速下限値Ｍｉｎが与えられたなら、聴者話速上限値Ｍａｘおよび聴者話速下限値Ｍｉｎを聴者話速記憶部１０５１に記憶させる（Ｓ１）。
【００３３】
次に、話者Ａが発話を開始すると、話者マイク１０１Ａは、発話による音圧を受け、音圧を示す話者音圧信号１０１ＡＳを出力する。話者音圧信号受信部１０２Ａは、話者音圧信号１０１ＡＳを受信し、話者音圧信号１０１ＡＳを基に話者音圧計測信号１０２ＡＳを出力する。話者音圧計測信号１０２ＡＳは、話者音圧信号１０１ＡＳから、記憶部１０５に予め記憶されたパラメータの１つである音圧閾値ＴＨ（例えば、４０デシベル）以下の音圧を有する部分を除いた信号である。
【００３４】
話者話速算出部１０３Ａは、話者音圧計測信号１０２ＡＳにより話者話速を算出し、話者話速データベース１０５２Ａに記憶させる（Ｓ２）。
【００３５】
なお、話者音圧計測信号１０２ＡＳは、記憶部１０５に書き込まれ、話者話速算出部１０３Ａは、記憶部１０５の話者音圧計測信号１０２ＡＳを参照して、話者話速を算出する。
【００３６】
図５は、話者音圧信号１０１ＡＳと話者音圧計測信号１０２ＡＳの一例を示す図である。
【００３７】
前述のとおり、話者音圧計測信号１０２ＡＳは、話者音圧信号１０１ＡＳから音圧閾値ＴＨ以下の部分を除いた信号である。つまり、話者音圧信号受信部１０２Ａは、話者音圧信号１０１ＡＳから音圧閾値ＴＨ以下の部分をカットし、残りの部分つまり話者音圧計測信号１０２ＡＳを出力する。
【００３８】
話者話速算出部１０３Ａは、話者音圧計測信号１０２ＡＳにおいて、音圧がある区間を発話区間、音圧の無い区間を非発話区間として認識する。図５において、区間ａは発話区間、区間ｂは非発話区間、区間ｃは発話区間である。
【００３９】
話者話速算出部１０３Ａは、話者音圧計測信号１０２ＡＳの各発話区間の波形に基づき、その発話区間での話者話速を計測する。話者話速算出部１０３Ａは、ここでは、例えば、同一の発話区間で、１以上の話者話速を計測する。話者話速算出部１０３Ａは、例えば、発話区間の全体で、１つの話者話速を計測する。または、話者話速算出部１０３Ａは、発話区間を分割し、分割により生じた各区間で話者話速を計測する。話者話速算出部１０３Ａは、例えば、区間ｃ（３０秒）を０．１秒ごとにつまり３００分割し、３００の話者話速を計測する。
【００４０】
話者話速算出部１０３Ａは、区間ｂのような非発話区間、例えば、沈黙の期間を除外して、話者話速を計算する。よって、例えば、沈黙が長くなればなるほど話者話速および後述の加重平均（話者話速Ｖａ）が遅くなるという問題が生じない。
【００４１】
話者話速算出部１０３Ａは、各話者話速を、固有の話者話速番号、ならびに話者話速での発話がなされる区間（発話区間や分割により生じた区間）の開始時刻および終了時刻に対応づけて、話者話速データベース１０５２Ａに記憶させる。
【００４２】
図４に戻り、話者話速調整制御部１０７は、現在から、記憶部１０５に予め記憶されたパラメータの１つである時間の長さだけ遡った時点までの区間Ｔ（例えば「現在から１分前まで」）に含まれる区間の開始時刻および終了時刻を話者話速データベース１０５２Ａから読み出す。そして、話者話速調整制御部１０７は、各区間の開始時刻および終了時刻の差分（つまり区間長）の合計を計算し、合計が、記憶部１０５に予め記憶されたパラメータの１つである時間の長さｔ（例えば「２０秒」）より長いか否かを判定する（Ｓ３）。つまり、話者話速調整制御部１０７は、区間Ｔでの発話区間の合計が十分長いか否かを判定する。発話区間の合計が短い場合は、通常の発話がなされていない可能性が高いので、この場合は、話者話速（後述の話者話速Ｖａ）を計測しないようにするのである。
【００４３】
図３において、現在時刻を「２０１１年８月３０日１１時１０分３０秒」、区間Ｔを「現在から１分前まで」とすると、話者話速番号「１」の区間は、区間Ｔに含まれず、話者話速番号「２」、「３」の区間は、区間Ｔに含まれる。話者話速番号「２」、「３」の区間の開始時刻および終了時刻の差分の合計は、「５０秒」であり、長さｔを「２０秒」とすると、長さｔより長い。
【００４４】
話者話速調整制御部１０７は、合計が長さｔより長いなら（Ｓ３：ＹＥＳ）、通常の発話がなされている可能性が高いので、話者話速Ｖａを計測すべく、まず、区間Ｔに含まれる区間の話者話速を話者話速データベース１０５２Ａから読み出す。そして、話者話速調整制御部１０７は、各話者話速の加重平均である話者話速Ｖａを計算する（Ｓ４）。
【００４５】
話者話速は、発する単語の違いなどにも影響を受けて、時々刻々と変化する。そのため、単に話者話速が、例えば低下したからといって、話者話速調整要請通知ＡＬを出力したとしても、話者Ａは話者話速を調整することが難しい。そこで、第１の実施の形態では、ある程度長い区間における話者話速の加重平均を用い、加重平均（話者話速Ｖａ）に基づいて、話者話速調整要請通知ＡＬを出力するようにしている。
【００４６】
図３において、話者話速番号「２」の区間の長さは「３０秒」、話者話速は「２．０［語／秒］」であり、話者話速番号「３」の区間の長さは「２０秒」、話者話速は「１．５［語／秒］」であり、区間の長さの合計は「５０秒」である。話者話速調整制御部１０７は、この場合、話者話速Ｖａを、以下の式（１）により計算する。
【００４７】
Ｖａ＝（２．０×３０＋１．５×２０）／５０＝１．８      （１）
つまり、この場合、話者話速Ｖａは「１．８［語／秒］」である。
【００４８】
例えば、話者話速制御装置１が、画面つきの表示装置を有する場合、話者話速Ｖａ、聴者話速上限値Ｍａｘおよび聴者話速下限値Ｍｉｎが、表示装置に表示される。
【００４９】
図６は、話者話速Ｖａ等の表示例を示す図である。
【００５０】
表示装置の画面には、例えば、目盛りが表示され、目盛り上の話者話速Ｖａの位置に矢印が表示される。また、目盛り上の聴者話速上限値Ｍａｘおよび聴者話速下限値Ｍｉｎの間以外に斜線がかけられる。これにより、話者Ａは、話者話速Ｖａ、聴者話速上限値Ｍａｘおよび聴者話速下限値Ｍｉｎを見て知り、話者話速を調整することができる。
【００５１】
図４に戻り、次に、話者話速調整制御部１０７は、聴者話速記憶部１０５１から聴者話速上限値Ｍａｘを読み出し、話者話速Ｖａが聴者話速上限値Ｍａｘより大きいか否かを判定する（Ｓ５）。話者話速調整制御部１０７は、話者話速Ｖａが聴者話速上限値Ｍａｘより大きいならば（Ｓ５：ＹＥＳ）、話者話速調整要請通知出力部１０８から、光による話者話速調整要請通知ＡＬの出力が開始されるように話者話速調整要請通知出力部１０８を制御する（Ｓ６）。これにより、話者話速調整要請通知出力部１０８は、光による話者話速調整要請通知ＡＬの出力を開始する。なお、話者話速調整要請通知ＡＬは、停止されるまでは、出力され続ける。
【００５２】
図２に示すように、聴者話速上限値Ｍａｘが「１．５［語／秒］である場合、話者話速Ｖａが「１．８［語／秒］なら、ステップＳ５でＹＥＳとなるので、光による話者話速調整要請通知ＡＬの出力が開始される。
【００５３】
一方、話者話速調整制御部１０７は、話者話速Ｖａが聴者話速上限値Ｍａｘ以下ならば（Ｓ５：ＮＯ）、聴者話速記憶部１０５１から聴者話速下限値Ｍｉｎを読み出し、話者話速Ｖａが聴者話速下限値Ｍｉｎより小さいか否かを判定する（Ｓ７）。話者話速調整制御部１０７は、話者話速Ｖａが聴者話速下限値Ｍｉｎより小さいならば（Ｓ７：ＹＥＳ）、話者話速調整要請通知出力部１０８から、音声による話者話速調整要請通知ＡＬの出力が開始されるように話者話速調整要請通知出力部１０８を制御する（Ｓ８）。これにより、話者話速調整要請通知出力部１０８は、音声による話者話速調整要請通知ＡＬの出力を開始する。
【００５４】
図２に示すように、聴者話速下限値Ｍｉｎが「０．８［語／秒］である場合、話者話速Ｖａが「０．５［語／秒］なら、ステップＳ７でＹＥＳとなるので、音声による話者話速調整要請通知ＡＬの出力が開始される。
【００５５】
一方、話者話速調整制御部１０７は、話者話速Ｖａが聴者話速下限値Ｍｉｎ以上ならば（Ｓ７：ＮＯ）、つまり、話者話速Ｖａが聴者話速上限値Ｍａｘ以下であり、かつ、話者話速Ｖａが聴者話速下限値Ｍｉｎ以上ならば、例えば、話者話速調整要請通知出力部１０８に停止信号を送信し、話者話速調整要請通知ＡＬの出力を停止させる（Ｓ９）。
【００５６】
図２に示すように、聴者話速上限値Ｍａｘが「１．５［語／秒］であり、かつ、聴者話速下限値Ｍｉｎが「０．８［語／秒］である場合、話者話速Ｖａが「１．０［語／秒］なら、話者話速調整要請通知ＡＬの出力が停止される。
【００５７】
図４に戻り、話者話速調整制御部１０７は、ステップＳ６、Ｓ８、Ｓ９の処理を終えたなら、入力部１０４から停止信号が送信されているか否かを判定する（Ｓ１０）。話者話速調整制御部１０７は、入力部１０４から停止信号が送信されている（Ｓ１０：ＹＥＳ）なら、処理を終了する。
【００５８】
一方、ステップＳ３でＮＯと判定されたなら、話者話速調整制御部１０７は、話者話速調整要請通知出力部１０８に停止信号を送信し、話者話速調整要請通知の出力を停止させる（Ｓ１１）。
【００５９】
話者話速調整制御部１０７は、ステップＳ１０でＮＯと判定されたなら、または、ステップＳ１１の処理を終えたなら、現在の話者音圧計測信号１０２ＡＳの音圧が音圧閾値ＴＨより大きいか否かを判定する（Ｓ１２）。
【００６０】
話者話速調整制御部１０７は、現在の話者音圧計測信号１０２ＡＳの音圧が音圧閾値ＴＨより大きい（Ｓ１２：ＹＥＳ）なら、制御をステップＳ２に移す。一方、話者話速調整制御部１０７は、現在の話者音圧計測信号１０２ＡＳの音圧が音圧閾値ＴＨ以下（Ｓ１２：ＮＯ）なら、制御をステップＳ３に移す。
【００６１】
図５に示す話者音圧計測信号１０２ＡＳが観測された時点から、例えば、１０秒後において、図７に示す話者音圧計測信号１０２ＡＳ（実線）が観測されたとする。破線は、図５での話者音圧計測信号１０２ＡＳである。１０秒後の話者音圧計測信号１０２ＡＳ（実線）は、破線を左に１０秒間シフトした形になっている。
【００６２】
話者話速調整制御部１０７は、例えば、この１０秒間で、話者Ａが新たに発話を開始して発話が続いているなら、つまり、現在の話者音圧計測信号１０２ＡＳ（実線）の音圧が音圧閾値ＴＨより大きい（Ｓ１２：ＹＥＳ）なら、制御をステップＳ２に移す。これにより、話者話速等が話者話速データベース１０５２Ａに記憶される。
【００６３】
話者話速調整制御部１０７は、図７の例では、話者Ａが新たに発話を開始し且つ発話が続いているという状況はない、つまり、現在の話者音圧計測信号１０２ＡＳ（実線）の音圧が音圧閾値ＴＨ以下なので、制御をステップＳ３に移す。
【００６４】
したがって、第１の実施の形態に係る話者話速制御装置１によれば、話者話速調整制御部１０７は、話者話速データベース１０５２Ａから２以上の話者話速を読み出し、聴者話速記憶部１０５１から聴者話速（聴者話速上限値Ｍａｘおよび聴者話速下限値Ｍｉｎ）を読み出し、２以上の話者話速に基づいて計算した話者話速Ｖａと聴者話速上限値Ｍａｘおよび聴者話速下限値Ｍｉｎとに基づいて、話者話速の調整の要否を判定し（Ｓ５、Ｓ７）、話者話速の調整が必要なら（Ｓ５：ＹＥＳ、Ｓ７：ＹＥＳ）、話者話速調整要請通知ＡＬが出力されるように話者話速調整要請通知出力部１０８を制御する（Ｓ６、Ｓ８）ので、話者Ａは、話者話速調整要請通知ＡＬを受け、話者話速の調整が必要なことに気がつき、もって、話者話速を調整することができる。
【００６５】
また、話者話速Ｖａが聴者話速上限値Ｍａｘより大きい場合の話者話速調整要請通知ＡＬは光による通知であり、話者話速Ｖａが聴者話速下限値Ｍｉｎより小さい場合の話者話速調整要請通知ＡＬは音声による通知である。つまり、両者は話者Ａにとって区別できるものとなっている。よって、話者Ａは、話者話速を速くすべき場合は速く、遅くすべき場合は遅くなるように調整することができる。
【００６６】
また、話者話速調整制御部１０７は、話者話速Ｖａが聴者話速上限値Ｍａｘより大きいなら、話者話速Ｖａと聴者話速上限値Ｍａｘの差分が大きいほど話者話速調整要請通知ＡＬでの要請の程度が高くなるように話者話速調整要請通知出力部１０８を制御し、一方、話者話速Ｖａが聴者話速下限値Ｍｉｎより小さいなら、話者話速Ｖａと聴者話速下限値Ｍｉｎの差分が大きいほど話者話速調整要請通知ＡＬでの要請の程度が高くなるように話者話速調整要請通知出力部１０８を制御してもよい。
【００６７】
例えば、話者話速調整制御部１０７は、光による話者話速調整要請通知ＡＬを出力させ、差分が大きいほど光量を大きくする。
【００６８】
例えば、話者話速調整制御部１０７は、点滅する光による話者話速調整要請通知ＡＬを出力させ、差分が大きいほど点滅の間隔を短くする。
【００６９】
例えば、話者話速調整制御部１０７は、音声による話者話速調整要請通知ＡＬを出力させ、差分が大きいほど音量を大きくする。
【００７０】
これにより、話者Ａは、差分つまり聴者話速と話者話速との隔たりの大きさを知ることができる。
【００７１】
また、第１の実施の形態では、話者話速Ｖａが聴者話速上限値Ｍａｘより大きい場合に限り、話者話速調整要請通知ＡＬを出力するようにしてもよい。
【００７２】
また、第１の実施の形態では、話者話速Ｖａが聴者話速下限値Ｍｉｎより小さい場合に限り、話者話速調整要請通知ＡＬを出力するようにしてもよい。
【００７３】
また、第１の実施の形態では、話者話速Ｖａが聴者話速上限値Ｍａｘより大きい場合の話者話速調整要請通知ＡＬと話者話速Ｖａが聴者話速下限値Ｍｉｎより小さい場合の話者話速調整要請通知ＡＬとを互いに等しく、例えば、音による話者話速調整要請通知ＡＬとしてもよい。
【００７４】
また、第１の実施の形態では、聴者話速記憶部１０５１に予め１つの聴者話速（例えば、聴者話速上限値Ｍａｘと聴者話速下限値Ｍｉｎの平均値）を記憶させておき、聴者話速を読み出し、聴者話速と話者話速Ｖａの差分の絶対値が、予め定められた大きさ以上になったなら、話者話速調整要請通知ＡＬを出力するようにしてもよい。差分の符号により、話者話速調整要請通知ＡＬの種類を変えてもよい。
【００７５】
また、第１の実施の形態では、話者話速Ｖａを用いたが、話者話速データベース１０５２Ａから１つの話者話速を読み出し、この話者話速を話者話速Ｖａに代えて用いてもよい。
【００７６】
また、第１の実施の形態では、光や音声による話者話速調整要請通知ＡＬを行ったが、、振動、温度、香りなどによる話者話速調整要請通知ＡＬ、話者話速Ｖａなどの表示を行った表示装置への表示による話者話速調整要請通知ＡＬを行ってもよい。
【００７７】
［第２の実施の形態］
次に、本発明の第２の実施の形態について説明する。第２の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。また、第１の実施の形態では、詳細な点につき、いくつかの変形例を示したが、変形例は、第２の実施の形態に適用してもよい。
【００７８】
図８は、第２の実施の形態に係る話者話速制御装置１Ａを示す図である。図８（ａ）は、話者話速制御装置１Ａが話者Ａに使用され、話者話速制御装置１Ａの聴者マイク１０１Ｂが聴者Ｂに使用されている様子を示す図である。図８（ｂ）は、話者話速制御装置１Ａの概略構成を示す機能ブロック図である。
【００７９】
話者話速制御装置１Ａは、第１の実施の形態と同様に、話者話速調整要請通知ＡＬ（例えば、音声、光、振動、温度、香りなどによる通知）を話者Ａに向けて出力する装置である。
【００８０】
話者話速制御装置１Ａは、話者Ａが聴者Ｂと会話するときに使用されるものである。話者話速制御装置１Ａの聴者マイク１０１Ｂは、例えば、聴者Ｂに向けて使用される。聴者マイク１０１Ｂは、話者話速制御装置１Ａに内蔵してもよい。
【００８１】
話者話速制御装置１Ａは、話者Ａの発話による音圧を受けるマイクロフォンである話者マイク１０１Ａと、聴者Ｂの発話による音圧を受けるマイクロフォンである聴者マイク１０１Ｂと、話者マイク１０１Ａから話者Ａの発話による音圧を示す音圧信号である話者音圧信号１０１ＡＳを受信する話者音圧信号受信部１０２Ａと、聴者マイク１０１Ｂから聴者Ｂの発話による音圧を示す音圧信号である聴者音圧信号１０１ＢＳを受信する聴者音圧信号受信部１０２Ｂと、話者音圧信号受信部１０２Ａから話者音圧信号１０１ＡＳを基に出力される話者音圧計測信号１０２ＡＳにより話者話速を算出する話者話速算出部１０３Ａと、聴者音圧信号受信部１０２Ｂから聴者音圧信号１０１ＢＳを基に出力される聴者音圧計測信号１０２ＢＳにより聴者話速を算出する聴者話速算出部１０３Ｂと、各種のパラメータ（詳しくは後述する）が入力される入力部１０４と、聴者話速や話者話速やパラメータが記憶される記憶部１０５と、話者話速や聴者話速を計測した区間の開始時刻および終了時刻の計測に必要な現在時刻を出力する時刻出力部１０６と、話者話速と聴者話速に基づいて、話者話速の調整の要否を判定し、話者話速の調整が必要なら、話者話速調整要請通知ＡＬが出力されるように制御を行う話者話速調整制御部１０７と、話者話速調整要請通知ＡＬを出力する話者話速調整要請通知出力部１０８とを備える。
【００８２】
記憶部１０５は、図２と同様な聴者話速記憶部１０５１を有する。聴者話速記憶部１０５１には、計算により求められた聴者話速上限値Ｍａｘおよび聴者話速下限値Ｍｉｎが記憶される。
【００８３】
また、記憶部１０５は、図３と同様な話者話速データベース１０５２Ａを有する。
【００８４】
また、記憶部１０５は、聴者話速が記憶される聴者話速データベース１０５２Ｂを有する。
【００８５】
図９は、記憶部１０５に含まれる聴者話速データベース１０５２Ｂの構成の一例を示す図である。
【００８６】
聴者話速データベース１０５２Ｂは、聴者音圧計測信号１０２ＢＳにおける複数の区間のそれぞれで聴者Ｂの聴者話速が計測されるので、その各聴者話速を記憶するものである。各聴者話速には、固有の聴者話速番号、ならびに、聴者話速での発話がなされる区間の開始時刻および終了時刻が対応づけて記憶される。
【００８７】
また、記憶部１０５は、複数の聴者話速の加重平均である聴者話速Ｖｂが記憶される聴者話速データベース１０５３Ｂを有する。
【００８８】
図１０は、記憶部１０５に含まれる聴者話速データベース１０５３Ｂの構成の一例を示す図である。
【００８９】
聴者話速データベース１０５３Ｂは、複数の区間のそれぞれでの聴者話速Ｖｂが計測されるので、その各聴者話速Ｖｂを記憶するものである。各聴者話速Ｖｂには、聴者話速Ｖｂでの発話がなされる区間の開始時刻が対応づけて記憶される。
（話者話速制御装置１Ａの動作方法）
話者話速制御装置１Ａでは、図４のステップＳ１において、話者話速調整制御部１０７は、与えられた聴者話速上限値Ｍａｘおよび聴者話速下限値Ｍｉｎを聴者話速記憶部１０５１に記憶させるのでなく、聴者話速Ｖｂに基づいて、聴者話速上限値Ｍａｘおよび聴者話速下限値Ｍｉｎを計算し、聴者話速記憶部１０５１に記憶させる。その他の動作は、図４のステップＳ１以外と同じであるから、説明を省略する。
【００９０】
図１１は、第２の実施の形態におけるステップＳ１の動作を示すフローチャートである。
【００９１】
まず、聴者Ｂが発話を開始すると、聴者マイク１０１Ｂは、発話による音圧を受け、音圧を示す聴者音圧信号１０１ＢＳを出力する。聴者音圧信号受信部１０２Ｂは、聴者音圧信号１０１ＢＳを受信し、聴者音圧信号１０１ＢＳを基に聴者音圧計測信号１０２ＢＳを出力する。聴者音圧計測信号１０２ＢＳは、聴者音圧信号１０１ＢＳから、記憶部１０５に予め記憶されたパラメータの１つである音圧閾値ＴＨ（例えば、４０デシベル）以下の音圧を有する部分を除いた信号である。
【００９２】
聴者話速算出部１０３Ｂは、聴者音圧計測信号１０２ＢＳにより聴者Ｂの聴者話速を算出し、聴者話速データベース１０５２Ｂに記憶させる（Ｓ１０１）。
【００９３】
具体的に、聴者話速算出部１０３Ｂは、聴者音圧計測信号１０２ＢＳにおいて、音圧がある区間を発話区間、音圧の無い区間を非発話区間として認識する。図５に示す話者音圧計測信号１０２ＡＳを仮に聴者音圧計測信号１０２ＢＳとすると、区間ａは発話区間、区間ｂは非発話区間、区間ｃは発話区間である。
【００９４】
聴者話速算出部１０３Ｂは、聴者音圧計測信号１０２ＢＳの各発話区間の波形に基づき、その発話区間での聴者話速を計測する。聴者話速算出部１０３Ｂは、ここでは、例えば、同一の発話区間で、１以上の聴者話速を計測する。聴者話速算出部１０３Ｂは、例えば、発話区間の全体で、１つの聴者話速を計測する。または、聴者話速算出部１０３Ｂは、発話区間を分割し、分割により生じた各区間で聴者話速を計測する。聴者話速算出部１０３Ｂは、例えば、区間ｃ（３０秒）を０．１秒ごとにつまり３００分割し、３００の聴者話速を計測する。
【００９５】
聴者話速算出部１０３Ｂは、各聴者話速を、固有の聴者話速番号、ならびに聴者話速での発話がなされる区間（発話区間や分割により生じた区間）の開始時刻および終了時刻に対応づけて、聴者話速データベース１０５２Ｂに記憶させる（Ｓ１０１）。
【００９６】
図１１において、次に、話者話速調整制御部１０７は、現在から、記憶部１０５に予め記憶されたパラメータの１つである時間の長さだけ遡った時点までの区間Ｔ（例えば「現在から１分前まで」）に含まれる区間の開始時刻および終了時刻を聴者話速データベース１０５２Ｂから読み出す。なお、区間Ｔの長さは、話者話速Ｖａを求めるときの区間Ｔの長さと同じであっても、異なっていてもよい。
【００９７】
話者話速調整制御部１０７は、各区間の開始時刻および終了時刻の差分（つまり区間長）の合計を計算し、合計が、記憶部１０５に予め記憶されたパラメータの１つである時間の長さｔ（例えば「２０秒」）より長いか否かを判定する。つまり、話者話速調整制御部１０７は、区間Ｔでの発話区間の合計が十分長いか否かを判定する。発話区間の合計が短い場合は、通常の発話がなされていない可能性が高いので、この場合は、聴者話速（後述の聴者話速Ｖｂ）を計測しないようにするのである。なお、長さｔは、話者話速Ｖａを求めるときの長さｔと同じであっても、異なっていてもよい。
【００９８】
図９において、現在時刻を「２０１１年８月３０日１１時８分２０秒」、区間Ｔを「現在から１分前まで」とすると、聴者話速番号「１」の区間は、区間Ｔに含まれず、聴者話速番号「２」、「３」の区間は、区間Ｔに含まれる。聴者話速番号「２」、「３」の区間の開始時刻および終了時刻の差分の合計は、「４０秒」であり、長さｔを「２０秒」とすると、長さｔより長い。
【００９９】
話者話速調整制御部１０７は、合計が長さｔより長いなら、通常の発話がなされている可能性が高いので、聴者話速Ｖｂを計測すべく、まず、区間Ｔに含まれる区間の聴者話速を聴者話速データベース１０５２Ｂから読み出す。そして、話者話速調整制御部１０７は、各聴者話速の加重平均である聴者話速Ｖｂを計算する。
【０１００】
図９において、聴者話速番号「２」の区間の長さは「３０秒」、聴者話速は「１．５［語／秒］」であり、聴者話速番号「３」の区間の長さは「１０秒」、聴者話速は「１．０［語／秒］」であり、区間の長さの合計は「４０秒」である。話者話速調整制御部１０７は、この場合、聴者話速Ｖｂを、以下の式（２）により計算する。
【０１０１】
Ｖｂ＝（１．５×３０＋１．０×１０）／４０＝１．３７５      （２）
つまり、この場合、聴者話速Ｖｂは「１．３７５［語／秒］」である。
【０１０２】
話者話速調整制御部１０７は、聴者Ｂの各聴者話速Ｖｂを、聴者話速Ｖｂでの発話がなされる区間の開始時刻（上記例では、聴者話速番号「２」の区間の開始時刻）に対応づけて、聴者話速データベース１０５３Ｂに記憶させる（Ｓ１０２）。
【０１０３】
次に、話者話速調整制御部１０７は、記憶部１０５に予め記憶されたパラメータの１つである数以上の聴者話速Ｖｂが聴者話速データベース１０５３Ｂにあるか否かを判定する（Ｓ１０３）。
【０１０４】
話者話速調整制御部１０７は、聴者話速Ｖｂの数が、記憶部１０５に記憶された数未満なら（Ｓ１０３：ＮＯ）、制御をステップＳ１０１に戻す。
【０１０５】
一方、話者話速調整制御部１０７は、聴者話速Ｖｂの数が、記憶部１０５に記憶された数以上なら（Ｓ１０３：ＹＥＳ）、制御をステップＳ１０４に進める。
【０１０６】
話者話速調整制御部１０７は、聴者話速データベース１０５３Ｂから複数の聴者話速Ｖｂ（例えば、全ての聴者話速Ｖｂ）を読み出し、最大の聴者話速Ｖｂを聴者話速上限値Ｍａｘとして、聴者話速記憶部１０５１に記憶させる（Ｓ１０４）。また、話者話速調整制御部１０７は、最小の聴者話速Ｖｂを聴者話速下限値Ｍｉｎとして、聴者話速記憶部１０５１に記憶させる（Ｓ１０４）。
【０１０７】
話者話速調整制御部１０７は、ステップＳ１０４により処理を終える。
【０１０８】
したがって、第２の実施の形態に係る話者話速制御装置１Ａによれば、聴者Ｂの発話による音圧を受けるマイクである聴者マイク１０１Ｂと、聴者マイク１０１Ｂから聴者Ｂの発話による音圧を示す音圧信号である聴者音圧信号１０１ＢＳを受信する聴者音圧信号受信部１０２Ｂと、聴者音圧信号受信部１０２Ｂから聴者音圧信号１０１ＢＳを基に出力される聴者音圧計測信号１０２ＢＳにより聴者話速を算出する聴者話速算出部１０３Ｂとを備え、聴者話速記憶部１０５１には、算出された聴者話速が予め記憶されるので、実際の聴者Ｂの聴者話速に話者話速を対応させることができる。聴者Ｂにとっては自分の話速が最も聴きやすいので、話者話速を聴者Ｂの聴者話速つまり聴者Ｂにとって聴きやすい話者話速にすることができる。
【０１０９】
［第３の実施の形態］
次に、本発明の第３の実施の形態について説明する。第３の実施の形態では、第１、第２の実施の形態に同一または類似の装置および装置構成を用い、同一または類似のものについては第１、第２の実施の形態で使用した符号を使用して重複説明を略し、第１、第２の実施の形態とは異なる事項を中心に説明を行う。また、第１の実施の形態で示した変形例は、第３の実施の形態に適用してもよい。
【０１１０】
図１２は、第３の実施の形態に係る話者話速制御装置１Ｂを示す図である。図１２（ａ）は、話者話速制御装置１Ｂが話者Ａに使用され、話者話速制御装置１Ｂの聴者マイク１０１Ｂ、１０１Ｃ、１０１Ｄがそれぞれ聴者Ｂ、Ｃ、Ｄに使用されている様子を示す図である。図１２（ｂ）は、話者話速制御装置１Ｂの概略構成を示す機能ブロック図である。
【０１１１】
話者話速制御装置１Ｂは、第１の実施の形態と同様に、話者話速調整要請通知ＡＬ（例えば、音声、光、振動、温度、香りなどによる通知）を話者Ａに向けて出力する装置である。
【０１１２】
話者話速制御装置１Ｂは、話者Ａが複数の聴者、つまり、この場合の聴者Ｂ、Ｃ、Ｄと会話するときに使用されるものである。聴者マイク１０１Ｂ、１０１Ｃ、１０１Ｄは、例えば、聴者Ｂ、Ｃ、Ｄに向けて使用される。聴者マイク１０１Ｂ、１０１Ｃ、１０１Ｄは、話者話速制御装置１Ｂに内蔵してもよい。
【０１１３】
聴者Ｂ、Ｃ、Ｄの中で、聴者自身にとって聴きやすい発話の速度が最も遅いのは、例えば、聴者Ｄである。聴者Ｄは、例えば、３者の中での最高齢者である。話者話速制御装置１Ｂは、話者Ａの話者話速を、このような聴者Ｄにとって聴きやすい話者話速にするための構成を有している。
【０１１４】
話者話速制御装置１Ｂは、話者Ａの発話による音圧を受けるマイクロフォンである話者マイク１０１Ａと、聴者Ｂの発話による音圧を受けるマイクロフォンである聴者マイク１０１Ｂと、聴者Ｃの発話による音圧を受けるマイクロフォンである聴者マイク１０１Ｃと、聴者Ｄの発話による音圧を受けるマイクロフォンである聴者マイク１０１Ｄと、話者マイク１０１Ａから話者Ａの発話による音圧を示す音圧信号である話者音圧信号１０１ＡＳを受信する話者音圧信号受信部１０２Ａと、聴者マイク１０１Ｂから聴者Ｂの発話による音圧を示す音圧信号である聴者音圧信号１０１ＢＳを受信する聴者音圧信号受信部１０２Ｂと、聴者マイク１０１Ｃから聴者Ｃの発話による音圧を示す音圧信号である聴者音圧信号１０１ＣＳを受信する聴者音圧信号受信部１０２Ｃと、聴者マイク１０１Ｄから聴者Ｄの発話による音圧を示す音圧信号である聴者音圧信号１０１ＤＳを受信する聴者音圧信号受信部１０２Ｄと、話者音圧信号受信部１０２Ａから話者音圧信号１０１ＡＳを基に出力される話者音圧計測信号１０２ＡＳにより話者話速を算出する話者話速算出部１０３Ａと、聴者音圧信号受信部１０２Ｂから聴者音圧信号１０１ＢＳを基に出力される聴者音圧計測信号１０２ＢＳにより聴者話速を算出する聴者話速算出部１０３Ｂと、聴者音圧信号受信部１０２Ｃから聴者音圧信号１０１ＣＳを基に出力される聴者音圧計測信号１０２ＣＳにより聴者話速を算出する聴者話速算出部１０３Ｃと、聴者音圧信号受信部１０２Ｄから聴者音圧信号１０１ＤＳを基に出力される聴者音圧計測信号１０２ＤＳにより聴者話速を算出する聴者話速算出部１０３Ｄと、各種のパラメータ（詳しくは後述する）が入力される入力部１０４と、聴者話速や話者話速やパラメータが記憶される記憶部１０５と、話者話速や聴者話速を計測した区間の開始時刻および終了時刻の計測に必要な現在時刻を出力する時刻出力部１０６と、話者話速と聴者話速に基づいて、話者話速の調整の要否を判定し、話者話速の調整が必要なら、話者話速調整要請通知ＡＬが出力されるように制御を行う話者話速調整制御部１０７と、話者話速調整要請通知ＡＬを出力する話者話速調整要請通知出力部１０８とを備える。
【０１１５】
記憶部１０５は、図２と同様な聴者話速記憶部１０５１を有する。聴者話速記憶部１０５１には、計算により求められた聴者話速上限値Ｍａｘおよび聴者話速下限値Ｍｉｎが記憶される。
【０１１６】
また、記憶部１０５は、図３と同様な話者話速データベース１０５２Ａを有する。
【０１１７】
また、記憶部１０５は、図９の聴者話速データベース１０５２Ｂの他に、同様な聴者Ｃ用の聴者話速データベース１０５２Ｃ、聴者Ｄ用の聴者話速データベース１０５２Ｄを有する。
【０１１８】
また、記憶部１０５は、図１０の聴者話速データベース１０５３Ｂに代えて、聴者話速データベース１０５４Ｂを有する。
【０１１９】
図１３は、記憶部１０５に含まれる聴者話速データベース１０５４Ｂの構成の一例を示す図である。
【０１２０】
聴者話速データベース１０５４Ｂは、各聴者Ｂ、Ｃ、Ｄにつき、複数の区間のそれぞれでの聴者話速Ｖｂが計測されるので、その各聴者話速Ｖｂを記憶するものである。各聴者話速Ｖｂには、聴者話速Ｖｂでの発話がなされる区間の開始時刻、聴者話速Ｖｂでの発話の音圧を受けたマイクを示す識別情報が対応づけて記憶される。聴者話速データベース１０５４Ｂは、例えば、現在から１０分前までの期間に含まれる開始時刻に対応づけられた聴者話速Ｖｂのみを記憶し、それより開始時刻に対応づけられた聴者話速Ｖｂつまり古い聴者話速Ｖｂは自動的に消去されるようになっている。
（話者話速制御装置１Ｂの動作方法）
話者話速制御装置１Ｂでは、図４のステップＳ１において、話者話速調整制御部１０７が、与えられた聴者話速上限値Ｍａｘおよび聴者話速下限値Ｍｉｎを聴者話速記憶部１０５１に記憶させるのでなく、聴者Ｂ、Ｃ、Ｄの聴者話速Ｖｂに基づいて、聴者話速上限値Ｍａｘおよび聴者話速下限値Ｍｉｎを計算し、聴者話速記憶部１０５１に記憶させる。その他の動作は、図４のステップＳ１以外と同じであるから、説明を省略する。
【０１２１】
図１４は、第３の実施の形態におけるステップＳ１の動作を示すフローチャートである。
【０１２２】
まず、聴者話速算出部１０３Ｂは、第２の実施の形態と同様に、聴者音圧計測信号１０２ＢＳにより聴者話速を算出し、固有の聴者話速番号、ならびに聴者話速での発話がなされる区間の開始時刻および終了時刻に対応づけて、聴者話速データベース１０５２Ｂに記憶させる（Ｓ１０１）。
【０１２３】
次に、話者話速調整制御部１０７は、第２の実施の形態と同様に、聴者Ｂについての聴者話速Ｖｂを計算し、聴者話速Ｖｂでの発話がなされる区間の開始時刻、聴者話速Ｖｂでの発話の音圧を受けた聴者マイク１０１Ｂを示す識別情報に対応づけて、聴者話速データベース１０５４Ｂに記憶させる（Ｓ１０２）。なお、聴者話速Ｖｂの計算に用いるパラメータである区間Ｔの長さおよび長さｔは、話者話速Ｖａや他の聴者についての聴者話速Ｖｂを求めるときのものと同じであっても、異なっていてもよい。聴者Ｃ、Ｄについても同様である。
【０１２４】
次に、聴者話速算出部１０３Ｃは、聴者話速算出部１０３Ｂの方法と同様に、聴者音圧計測信号１０２ＣＳにより聴者Ｃの聴者話速を算出し、固有の聴者話速番号、ならびに聴者話速での発話がなされる区間の開始時刻および終了時刻に対応づけて、聴者話速データベース１０５２Ｃに記憶させる（Ｓ１１１）。
【０１２５】
次に、話者話速調整制御部１０７は、第２の実施の形態の方法と同様に、聴者Ｃについての聴者話速Ｖｂを計算し、聴者話速Ｖｂでの発話がなされる区間の開始時刻、聴者話速Ｖｂでの発話の音圧を受けた聴者マイク１０１Ｃを示す識別情報に対応づけて、聴者話速データベース１０５４Ｂに記憶させる（Ｓ１１２）。
【０１２６】
次に、聴者話速算出部１０３Ｄは、聴者話速算出部１０３Ｂ、Ｃの方法と同様に、聴者音圧計測信号１０２ＤＳにより聴者Ｄの聴者話速を算出し、固有の聴者話速番号、ならびに聴者話速での発話がなされる区間の開始時刻および終了時刻に対応づけて、聴者話速データベース１０５２Ｄに記憶させる（Ｓ１１３）。
【０１２７】
次に、話者話速調整制御部１０７は、第２の実施の形態の方法と同様に、聴者Ｄの聴者話速Ｖｂを計算し、聴者話速Ｖｂでの発話がなされる区間の開始時刻、聴者話速Ｖｂでの発話の音圧を受けた聴者マイク１０１Ｄを示す識別情報に対応づけて、聴者話速データベース１０５４Ｂに記憶させる（Ｓ１１４）。
【０１２８】
次に、話者話速調整制御部１０７は、各聴者マイク１０１Ｂ、１０１Ｃ、１０１Ｄにつき、その識別情報に対応づけられた聴者話速Ｖｂが記憶部１０５に予め記憶されたパラメータの１つである数（例えば、２個）以上、聴者話速データベース１０５４Ｂにあるか否かを判定する（Ｓ１１５）。
【０１２９】
話者話速調整制御部１０７は、いずれかの識別情報に対応づけられた聴者話速Ｖｂの数が、記憶部１０５に記憶された数未満（例えば、１個しかない）なら（Ｓ１１５：ＮＯ）、制御をステップＳ１０１に戻す。
【０１３０】
一方、話者話速調整制御部１０７は、いずれの識別情報に対応づけられた聴者話速Ｖｂについても、その聴者話速Ｖｂの数が、記憶部１０５に記憶された数以上（例えば、いずれも２個以上ある）なら（Ｓ１１５：ＹＥＳ）、制御をステップＳ１１６に進める。
【０１３１】
話者話速調整制御部１０７は、ステップＳ１１６では、聴者話速データベース１０５３Ｂから複数の聴者話速Ｖｂ（例えば、全ての聴者話速Ｖｂ）を読み出す。
【０１３２】
また、話者話速調整制御部１０７は、聴者マイク１０１Ｂの識別情報に対応づけられた最大の聴者話速Ｖｂ（以下、聴者話速Ｖｂｂｍａｘ）を求める。また、話者話速調整制御部１０７は、聴者マイク１０１Ｂの識別情報に対応づけられた最小の聴者話速Ｖｂ（以下、聴者話速Ｖｂｂｍｉｎ）を求める。また、話者話速調整制御部１０７は、聴者マイク１０１Ｂの識別情報に対応づけられた聴者話速Ｖｂの平均（以下、聴者話速Ｖｂｂａｖｇ）を求める。
【０１３３】
また、話者話速調整制御部１０７は、聴者マイク１０１Ｃの識別情報に対応づけられた最大の聴者話速Ｖｂ（以下、聴者話速Ｖｂｃｍａｘ）を求める。また、話者話速調整制御部１０７は、聴者マイク１０１Ｃの識別情報に対応づけられた最小の聴者話速Ｖｂ（以下、聴者話速Ｖｂｃｍｉｎ）を求める。また、話者話速調整制御部１０７は、聴者マイク１０１Ｃの識別情報に対応づけられた聴者話速Ｖｂの平均（以下、聴者話速Ｖｂｃａｖｇ）を求める。
【０１３４】
また、話者話速調整制御部１０７は、聴者マイク１０１Ｄの識別情報に対応づけられた最大の聴者話速Ｖｂ（以下、聴者話速Ｖｂｄｍａｘ）を求める。また、話者話速調整制御部１０７は、聴者マイク１０１Ｄの識別情報に対応づけられた最小の聴者話速Ｖｂ（以下、聴者話速Ｖｂｄｍｉｎ）を求める。また、話者話速調整制御部１０７は、聴者マイク１０１Ｄの識別情報に対応づけられた聴者話速Ｖｂの平均（以下、聴者話速Ｖｂｄａｖｇ）を求める。
【０１３５】
話者話速調整制御部１０７は、聴者話速Ｖｂｂａｖｇ、Ｖｂｃａｖｇ、Ｖｂｄａｖｇの中の最小値を選択する。
【０１３６】
話者話速調整制御部１０７は、聴者話速Ｖｂｂａｖｇを選択した場合は、聴者話速Ｖｂｂｍａｘを聴者話速上限値Ｍａｘとして、聴者話速記憶部１０５１に記憶させる（Ｓ１１６）。また、話者話速調整制御部１０７は、聴者話速Ｖｂｂｍｉｎを聴者話速下限値Ｍｉｎとして、聴者話速記憶部１０５１に記憶させる（Ｓ１１６）。
【０１３７】
一方、話者話速調整制御部１０７は、聴者話速Ｖｂｃａｖｇを選択した場合は、聴者話速Ｖｂｃｍａｘを聴者話速上限値Ｍａｘとして、聴者話速記憶部１０５１に記憶させる（Ｓ１１６）。また、話者話速調整制御部１０７は、聴者話速Ｖｂｃｍｉｎを聴者話速下限値Ｍｉｎとして、聴者話速記憶部１０５１に記憶させる（Ｓ１１６）。
【０１３８】
一方、話者話速調整制御部１０７は、聴者話速Ｖｂｄａｖｇを選択した場合は、聴者話速Ｖｂｄｍａｘを聴者話速上限値Ｍａｘとして、聴者話速記憶部１０５１に記憶させる（Ｓ１１６）。また、話者話速調整制御部１０７は、聴者話速Ｖｂｄｍｉｎを聴者話速下限値Ｍｉｎとして、聴者話速記憶部１０５１に記憶させる（Ｓ１１６）。
【０１３９】
話者話速調整制御部１０７は、ステップＳ１１６により処理を終える。
【０１４０】
図１５は、ステップＳ１１６の動作を説明するための図である。
【０１４１】
図１４によれば、聴者話速Ｖｂｂａｖｇ、Ｖｂｃａｖｇ、Ｖｂｄａｖｇの中の最小値は、聴者話速Ｖｂｄａｖｇであるから、聴者話速Ｖｂｄｍａｘが聴者話速上限値Ｍａｘとされ、聴者話速Ｖｂｄｍｉｎが聴者話速下限値Ｍｉｎとされる。
【０１４２】
なお、ステップＳ１１６では、聴者話速Ｖｂｂｍａｘ、Ｖｂｃｍａｘ、Ｖｂｄｍａｘの中の最大値を聴者話速上限値Ｍａｘとし、聴者話速Ｖｂｂｍｉｎ、Ｖｂｃｍｉｎ、Ｖｂｄｍｉｎの中の最小値を聴者話速下限値Ｍｉｎとしてもよい。
【０１４３】
図１４によれば、聴者話速Ｖｂｂｍａｘ、Ｖｂｃｍａｘ、Ｖｂｄｍａｘの中の最大値は聴者話速Ｖｂｂｍａｘであり、聴者話速Ｖｂｂｍｉｎ、Ｖｂｃｍｉｎ、Ｖｂｄｍｉｎの中の最小値は聴者話速Ｖｂｄｍｉｎであるので、聴者話速Ｖｂｂｍａｘが聴者話速上限値Ｍａｘとされ、聴者話速Ｖｂｄｍｉｎが聴者話速下限値Ｍｉｎとされる。
【０１４４】
なお、ステップＳ１１６では、上記２つの方法以外の方法で聴者話速上限値Ｍａｘおよび聴者話速下限値Ｍｉｎを設定してもよい。
【０１４５】
したがって、第３の実施の形態に係る話者話速制御装置１Ｂによれば、聴者マイク１０１Ｂ、１０１Ｃ、１０１Ｄ、聴者音圧信号受信部１０２Ｂ、１０２Ｃ、１０２Ｄおよび聴者話速算出部１０３Ｂ、１０３Ｃ、１０３Ｄを備え、つまり、聴者マイク、聴者音圧信号受信部および聴者話速算出部を、複数の聴者Ｂ、Ｃ、Ｄごとに備え、聴者話速記憶部１０５１は、最も小さい聴者話速（図１４では、聴者話速Ｖｂｂｍａｘおよび聴者話速Ｖｂｄｍｉｎ）を予め記憶するものであるので、最も遅い聴者話速で会話する聴者（図１４の例では、聴者Ｄ）の聴者話速に話者話速を対応させることができる。聴者Ｄにとっては自分の話速が最も聴きやすく、他の聴者Ｂ、Ｃにとっても、自分の話速より遅い話速なら聴きにくいことはない。つまり、話者話速を聴者Ｄの聴者話速つまり聴者Ｄにとって聴きやすい話者話速にすることができ、かつ、話者話速が聴者Ｂ、Ｃにとって聴きにくくなるのを防止することができる。
【０１４６】
なお、各実施の形態では、話者話速調整要請通知ＡＬを出力する話者話速調整要請通知出力部１０８を設けたが、話者話速調整要請通知出力部１０８に代えて、話者話速の調整が不要である旨の話者話速調整不要通知を話者に向けて出力する話者話速調整不要通知出力部（図示せず）を設け、話者話速調整制御部１０７は、話者話速の調整が不要なら、話者話速調整不要通知が出力されるように、話者話速調整不要通知出力部を制御することとしてもよい。
【０１４７】
話者話速調整不要通知は、話者話速調整要請通知と同様に、音声、光、振動、温度、香りなどによる通知である。
【０１４８】
話者話速の調整が不要である場合とは、例えば、話者話速が聴者話速上限値Ｍａｘ以下、且つ、聴者話速下限値Ｍｉｎ以上である場合である。また、話者話速を、例えば、最も遅い聴者話速で会話する聴者の聴者話速より遅くしたい場合は、そのような場合に、話者話速調整不要通知を出力させればよい。
【０１４９】
また、各実施の形態に係る話者話速制御装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０１５０】
１、１Ａ、１Ｂ  話者話速制御装置
１０１Ａ  話者マイク
１０１ＡＳ  話者音圧信号
１０１Ｂ、１０１Ｃ、１０１Ｄ  聴者マイク
１０１ＢＳ、１０１ＣＳ、１０１ＤＳ  聴者音圧信号
１０２Ａ  話者音圧信号受信部
１０２ＡＳ  話者音圧計測信号
１０２Ｂ、１０２Ｃ、１０２Ｄ  聴者音圧信号受信部
１０２ＢＳ、１０２ＣＳ、１０２ＤＳ  聴者音圧計測信号
１０３Ａ  話者話速算出部
１０３Ｂ、１０３Ｃ、１０３Ｄ  聴者話速算出部
１０４  入力部
１０５  記憶部
１０６  時刻出力部
１０７  話者話速調整制御部
１０８  話者話速調整要請通知出力部
１０５１  聴者話速記憶部
１０５２Ａ  話者話速データベース
１０５２Ｂ、１０５２Ｃ、１０５２Ｄ、１０５３Ｂ、１０５４Ｂ  聴者話速データベース
Ｍａｘ  聴者話速上限値
Ｍｉｎ  聴者話速下限値
ＴＨ  音圧閾値
Ｖａ  話者話速
Ｖｂ  聴者話速
【図１】
2013114118.tif 000003
【図２】
2013114118.tif 000004
【図３】
2013114118.tif 000005
【図４】
2013114118.tif 000006
【図５】
2013114118.tif 000007
【図６】
2013114118.tif 000008
【図７】
2013114118.tif 000009
【図８】
2013114118.tif 000010
【図９】
2013114118.tif 000011
【図１０】
2013114118.tif 000012
【図１１】
2013114118.tif 000013
【図１２】
2013114118.tif 000014
【図１３】
2013114118.tif 000015
【図１４】
2013114118.tif 000016
【図１５】
2013114118.tif 000017